(57)【要約】【課題】位置情報とその位置情報に対応する電話番号とが関連づけられて記憶された情報を移動体無線通信装置が記憶することなく、移動体無線通信装置からの緊急通報を、緊急通報を行った移動体無線通信装置が存在する地域を管轄する緊急通報先へ高い確率で接続できる緊急通報システムを提供する。【解決手段】携帯電話機１１は、緊急電話番号の発呼信号を発信する際、自身の位置を示す位置情報を緊急電話番号に付加した発呼信号を発信する。携帯電話用交換機１３ｂは、無線基地局１３ａが緊急通報に位置情報が付加された発呼信号を受信した場合、緊急電話連絡先データベース１４に格納されているエリア情報の中から受信した発呼信号が有する位置情報が含まれるエリア情報を検索し、検索したエリア情報に関連づけられている緊急通報先の電話番号を、緊急電話連絡先データベース１４から求め、求めた緊急通報先の電話番号での発信を行う。【選択図】      図１
2004265191.tif 000002
【特許請求の範囲】
【請求項１】
緊急通報先の管轄エリアを示すエリア情報と該緊急通報先の電話番号とを関連づけて格納してあるデータベースと、
緊急通報に現在位置を示す位置情報を付加した発呼信号を発信する移動体無線通信装置から発信された発呼信号を受信する受信手段と、
前記受信手段が受信した発呼信号が緊急通報に位置情報が付加された発呼信号であるか否か判定し、前記受信手段が受信した発呼信号が緊急通報に位置情報が付加された発呼信号であると判定した場合、前記データベースに格納されているエリア情報の中から該発呼信号が有する位置情報が含まれるエリア情報を検索し、検索したエリア情報に関連づけられている緊急通報先の電話番号を前記データベースから求め、求めた緊急通報先の電話番号での発信を行う緊急通報制御手段とを含むことを特徴とする緊急通報管理装置。
【請求項２】
請求項１に記載の緊急通報管理装置において、
前記データベースは、緊急通報の種類ごとに、緊急通報先の管轄エリアを示すエリア情報と該緊急通報先の電話番号とを関連づけて格納し、
前記緊急通報制御手段は、前記受信手段が受信した発呼信号が緊急通報に位置情報が付加された発呼信号である場合、前記データベースに格納されているエリア情報のうちの該発呼信号が有する緊急通報の種類に応じたエリア情報の中から該発呼信号が有する位置情報が含まれるエリア情報を検索し、検索したエリア情報に関連づけられている緊急通報先の電話番号を前記データベースから求め、求めた緊急通報先の電話番号での発信を行うことを特徴とする緊急通報管理装置。
【請求項３】
一般公衆網に含まれる複数の加入者交換機の場所を示す加入者交換機場所情報と該加入者交換機場所情報で示された加入者交換機に割り当てられたエリアを示すエリア情報とを、該加入者交換機ごとに関連づけて格納してあるデータベースと、
緊急通報に現在位置を示す位置情報を付加した発呼信号を発信する移動体無線通信装置から発信された発呼信号を受信する受信手段と、
前記受信手段が受信した発呼信号が緊急通報に位置情報が付加された発呼信号であるか否か判定し、前記受信手段が受信した発呼信号が緊急通報に位置情報が付加された発呼信号であると判定した場合、前記データベースに格納されているエリア情報の中から該発呼信号が有する位置情報が含まれるエリア情報を検索し、検索したエリア情報に関連づけられている加入者交換機場所情報で示された場所に存在する加入者交換機を前記データベースから求め、求めた加入者交換機に接続して前記緊急通報を発呼する緊急通報制御手段とを含むことを特徴とする緊急通報管理装置。
【請求項４】
現在位置を示す位置情報を取得する位置情報取得手段と、
利用者により入力された電話番号が緊急通報であるか否かを判定する電話番号判定手段と、
利用者により入力された電話番号が緊急通報であると前記電話番号判定手段が判定した際に、前記緊急通報としての電話番号に前記位置情報取得手段が取得した位置情報を付加した発呼信号を発信する発呼制御手段とを含むことを特徴とする移動体無線通信装置。
【請求項５】
現在位置を示す位置情報を取得する第１のステップと、
利用者により入力された電話番号が緊急通報であるか否かを判定する第２のステップと、
前記第２のステップにおいて利用者により入力された電話番号が緊急通報であると判定された際に、前記緊急通報としての電話番号に前記第１のステップで取得された位置情報を付加した発呼信号を発信する第３のステップとを含むことを特徴とする移動体無線通信装置の緊急通報発信方法。
【請求項６】
請求項１ないし３のいずれか１つに記載の緊急通報管理装置と、緊急通報に現在位置を示す位置情報を付加した発呼信号を発信する移動体無線通信装置とを含むことを特徴とする緊急通報システム。
【請求項７】
請求項１ないし３のいずれか１つに記載の緊急通報管理装置と、請求項４に記載の移動体無線通信装置からなる緊急通報システム。
【請求項８】
緊急通報に現在位置を示す位置情報を付加した発呼信号を発信する移動体無線通信装置から発信された発呼信号を受信する第１のステップと、
前記第１のステップで受信した発呼信号が緊急通報に位置情報が付加された発呼信号であるか否か判定する第２のステップと、
前記第２のステップで、前記第１のステップで受信した発呼信号が緊急通報に位置情報が付加された発呼信号であると判定した場合、緊急通報先の管轄エリアを示すエリア情報と該緊急通報先の電話番号とを関連づけて格納してあるデータベースに格納されているエリア情報の中から該発呼信号が有する位置情報が含まれるエリア情報を検索し、検索したエリア情報に関連づけられている緊急通報先の電話番号を前記データベースから求める第３のステップと、
前記第３のステップで求めた緊急通報先の電話番号での発信を行う第４のステップとを含むことを特徴とする緊急通報方法。
【請求項９】
請求項８に記載の緊急通報方法において、
前記データベースは、緊急通報の種類ごとに、緊急通報先の管轄エリアを示すエリア情報と該緊急通報先の電話番号とを関連づけて格納し、
前記第３のステップは、前記第１のステップで受信した発呼信号が緊急通報に位置情報が付加された発呼信号である場合、前記データベースに格納されているエリア情報のうちの該発呼信号が有する緊急通報の種類に応じたエリア情報の中から該発呼信号が有する位置情報が含まれるエリア情報を検索し、検索したエリア情報に関連づけられている緊急通報先の電話番号を前記データベースから求めることを特徴とする緊急通報方法。
【請求項１０】
緊急通報に位置情報を付加した発呼信号を発信する移動体無線通信装置から発信された発呼信号を受信する第１のステップと、
前記第１のステップで受信した発呼信号が緊急通報に位置情報が付加された発呼信号であるか否か判定する第２のステップと、
前記第２のステップで、前記第１のステップで受信した発呼信号が緊急通報に位置情報が付加された発呼信号であると判定した場合、一般公衆網に含まれる複数の加入者交換機の場所を示す加入者交換機場所情報と該加入者交換機場所情報で示された加入者交換機に割り当てられたエリアを示すエリア情報とを該加入者交換機ごとに関連づけて格納してあるデータベースとに格納されているエリア情報の中から該発呼信号が有する位置情報が含まれるエリア情報を検索し、検索したエリア情報に関連づけられている加入者交換機場所情報で示された場所に存在する加入者交換機を前記データベースから求める第３のステップと、
前記第３のステップで求めた加入者交換機に接続して前記緊急通報を発呼する第４のステップとを含むことを特徴とする緊急通報方法。
【発明の詳細な説明】
【０００１】
【発明の属する技術分野】
本発明は、携帯電話機等の移動体無線通信装置が使用可能な緊急通報管理装置、緊急通報管理装置を使用可能な移動体無線通信装置、移動体無線通信装置の緊急通報発信方法、緊急通報システムおよび緊急通報方法に関する。
【０００２】
【従来の技術】
従来、携帯電話機から緊急電話番号を用いて警察等に緊急通報を行う場合がある。なお、警察に対する緊急電話番号は日本では「１１０」であり、消防に対する緊急電話番号は日本では「１１９」である。
【０００３】
図７は、携帯電話機を用いた場合の従来の緊急電話接続システムを示したブロック図である。以下、図７を参照して、携帯電話機を用いた場合の従来の緊急電話接続システムを説明する。
【０００４】
図７において、７１は携帯電話機、７２は携帯電話網、７３は公衆網、７４は公衆網、７５は緊急電話接続先Ａ、７６は緊急電話接続先Ｂ、７７は緊急電話接続先Ａの管轄エリア、７８は緊急電話接続先Ｂの管轄エリアである。
【０００５】
携帯電話機７１は、緊急電話番号を用いた緊急通報を行うことができる。
【０００６】
携帯電話網７２は、複数の無線基地局７２ａと携帯電話用交換機７２ｂとを含む。
【０００７】
無線基地局７２ａは携帯電話機７１と無線通信を行う。無線基地局７２ａは、携帯電話機７１からの発呼信号を受信し、受信した発呼信号を携帯電話用交換機７２ｂに出力する。
【０００８】
携帯電話用交換機７２ｂは、無線基地局７２ａを介して入力する発呼信号を、その発呼信号で指定された電話機等の端末に接続する処理を行う。
【０００９】
公衆網７３は、一般公衆網に含まれるある加入者交換機を含む。さらに、公衆網７３は、ある加入者交換機と該ある加入者交換機が収容する端末との間の公衆網を含む。
【００１０】
公衆網７４は、一般公衆網に含まれる他の加入者交換機を含む。さらに、公衆網７４は、他の加入者交換機と該他の加入者交換機が収容する端末との間の公衆網を含む。
【００１１】
緊急電話接続先Ａ７５は、公衆網７３に収容されている警察の電話機等の端末である。緊急電話接続先Ａ７５は、公衆電話番号を有している。また、緊急電話接続先Ａ７５は、ある電話機から警察の緊急電話番号の発信がなされた際に、警察の緊急電話番号の発信を行った電話機と接続可能である。緊急電話接続先Ａ７５を備える警察は、管轄エリア７７を有する。
【００１２】
緊急電話接続先Ｂ７６は、公衆網７４に収容されている警察の電話機等の端末である。緊急電話接続先Ｂ７６は、公衆電話番号を有している。また、緊急電話接続先Ｂ７６は、ある電話機から警察の緊急電話番号の発信がなされた際に、警察の緊急電話番号の発信を行った電話機と接続可能である。緊急電話接続先Ｂ７６を備える警察は、管轄エリア７８を有する。
【００１３】
図７において、例えば、警察に対する緊急電話番号（日本の場合「１１０」）の発呼信号を携帯電話機７１から発信すると、この発呼信号を受け取った携帯電話網７２は、携帯電話機７１を、公衆網７３または公衆網７４を介して警察の緊急電話接続先Ａ７５または警察の緊急電話接続先Ｂ７６に接続する。
【００１４】
しかしながら、携帯電話機を用いた従来の緊急電話接続システムにおいては、次のような課題がある。
【００１５】
例えば、図７において、管轄エリア７７内に存在する携帯電話機７１から警察の緊急電話番号を発信した場合、その携帯電話機７１は、携帯電話網７２により、携帯電話機７１が存在する地域を管轄していない警察の緊急電話接続先Ｂ７６に接続されてしまう場合があるという問題がある。
【００１６】
緊急電話番号の発信を行った携帯電話機が、その携帯電話機が存在する地域を管轄していない警察等の緊急センタの緊急電話接続先に接続されてしまう原因は、携帯電話網７２による緊急電話接続先の選定が、携帯電話機７１の位置ではなく携帯電話と接続されている無線基地局７２ａの位置に基づき行われるからである。
【００１７】
例えば、図７において、携帯電話機７１が緊急電話接続先Ａ７５の管轄エリア７７内に存在しているが、この携帯電話機７１から発信された緊急電話番号の発呼信号が、管轄エリア７８に対応する無線基地局によって受信された場合は、携帯電話機７１が存在する地域を管轄していない警察の緊急電話接続先Ｂに接続されてしまう。
【００１８】
緊急電話番号の発信を行った携帯電話機が、その携帯電話機が存在する地域を管轄していない警察等の緊急電話接続先に接続されてしまうという問題に対処するには、携帯電話機から、その携帯電話機が存在する地域を管轄している警察の緊急電話接続先の公衆電話番号を用いて発信を行えばよい。
【００１９】
しかしながら、携帯電話機の利用者が緊急時に自身が存在する地域を管轄している警察等の緊急電話接続先の公衆電話番号を調べることは容易でなく、かつ煩わしい作業となる。
【００２０】
特許文献１（特開２００２−１７１５７１号公報）には、携帯電話機の利用者に煩わしい作業をさせることなく、緊急電話番号の発信を行った携帯電話機をその携帯電話機が存在する地域を管轄している警察等の緊急電話接続先に接続させることが可能な技術が記載されている。
【００２１】
特許文献１に記載の緊急通報システムは以下の通りである。
【００２２】
携帯電話機から送信された電波の電界強度を複数の無線基地局で測定する。複数の無線基地局の測定結果に基づき携帯電話機の位置を検出する。緊急通報先の管轄エリアを示すエリア情報と該緊急通報先の電話番号を記憶したデータベースを用いて、検出した携帯電話機の位置に適した緊急通報先の電話番号を選ぶ。選んだ電話番号での発信を行う。
【００２３】
特許文献１に記載の緊急通報システムは、複数の無線基地局を用いて携帯電話機の位置を検出しているので、携帯電話機と接続された無線基地局の位置に基づき携帯電話機の位置を検出する場合に比べて、携帯電話機の位置検出精度が向上し、緊急電話番号の発信を行った携帯電話機がその携帯電話機が存在する地域を管轄している警察等の緊急電話接続先に接続される確率が高くなる。
【００２４】
また、緊急通報を簡単に行うことが可能な移動体通信装置が、特許文献２（特開２００１−４５５５３号公報）に記載されている。
【００２５】
特許文献２に記載の携帯電話機等の移動体通信装置は、国ごとに異なる緊急電話番号を簡単に発信することができる。
【００２６】
特許文献２に記載の移動体通信装置を簡単に説明すると、携帯電話機にＧＰＳ（Ｇｌｏｂａｌ  Ｐｏｓｉｔｉｏｎｉｎｇ  Ｓｙｓｔｅｍ：全地球測位システム）受信機を設け、このＧＰＳ受信機で受信するＧＰＳ衛星からの信号を利用して携帯電話機の現在位置を取得し、取得した現在位置が属する国に対応した緊急電話番号を発信可能にする。
【００２７】
具体的には、国を示す地域情報とこの地域情報が示す国の緊急電話番号とを関連づけて記憶した地域別特定電話番号情報を携帯電話機内に設け、取得した携帯電話機の現在位置が属する国に対応した緊急電話番号をその地域別特定電話番号情報を利用して求め、求めた緊急電話番号の発信を行う。
【００２８】
【特許文献１】
特開２００２−１７１５７１号公報
【特許文献２】
特開２００１−４５５５３号公報（段落００６４）
【００２９】
【発明が解決しようとする課題】
特許文献１に記載の緊急通報システムは、携帯電話機の位置情報を各基地局が受信する緊急通報の電波の電界強度情報に基づいて検出しているが、基地局で受信する携帯電話機の送信電波の電界強度は、携帯電話機から基地局までの距離だけに依存するものではなく、建物などの障害物の存在にも影響される。
【００３０】
したがって、特許文献１に記載の緊急通報システムでは、建物などの影響により、携帯電話機の位置を正確に検出できない可能性が生じてしまう。そのため、携帯電話機の現在位置を正確に検出できない場合、緊急通報の発呼信号を発信した携帯電話機が、携帯電話機が存在しているエリアを管轄していない緊急連絡先に接続されてしまう可能性が生じてしまう。
【００３１】
また、特許文献１に記載の緊急通報システムで用いる携帯電話機として、特許文献２に記載された移動体通信装置を用いたとしても、特許文献２に記載された移動体通信装置から発信されるのは緊急電話番号だけなので、移動体通信装置の位置検出の精度が建物などの障害物の存在にも影響されるという問題は解決されない。
【００３２】
また、特許文献２に記載された移動体通信装置は、地域情報とこの地域情報に応じた緊急電話番号とを関連づけて記憶した地域別特定電話番号情報を移動体通信装置が備えているので、この地域別特定電話番号情報を記憶するためのメモリの領域が必要となるという問題が生じる。
【００３３】
本発明の目的は、位置情報とその位置情報に対応する電話番号とが関連づけられて記憶された情報を移動体無線通信装置が記憶することなく、移動体無線通信装置からの緊急通報を、緊急通報を行った移動体無線通信装置が存在する地域を管轄する緊急通報先へ高い確率で接続できる緊急通報システムを提供することである。
【００３４】
【課題を解決するための手段】
上記の目的を達成するために、本発明の緊急通報管理装置は、緊急通報先の管轄エリアを示すエリア情報と該緊急通報先の電話番号とを関連づけて格納してあるデータベースと、緊急通報に現在位置を示す位置情報を付加した発呼信号を発信する移動体無線通信装置から発信された発呼信号を受信する受信手段と、前記受信手段が受信した発呼信号が緊急通報に位置情報が付加された発呼信号であるか否か判定し、前記受信手段が受信した発呼信号が緊急通報に位置情報が付加された発呼信号であると判定した場合、前記データベースに格納されているエリア情報の中から該発呼信号が有する位置情報が含まれるエリア情報を検索し、検索したエリア情報に関連づけられている緊急通報先の電話番号を前記データベースから求め、求めた緊急通報先の電話番号での発信を行う緊急通報制御手段とを含むことを特徴とする。
【００３５】
上記の発明によれば、移動体無線通信装置自身の位置情報に基づいて求まる緊急通報先の電話番号で発信を行うので、移動体無線通信装置が接続された携帯電話網内の無線基地局の位置に関係なく、移動体無線通信装置自身の位置情報の精度を上げることにより、移動体無線通信装置の現在位置を管轄する緊急電話接続先に接続することが可能となる。
【００３６】
また、受信した発呼信号が緊急通報に位置情報が付加された発呼信号であるか否か判定するので、緊急通報に位置情報が付加された発呼信号とそれ以外の発呼信号とを判別可能となる。したがって、例えば、緊急通報に位置情報が付加された発呼信号とそれ以外の発呼信号とで発呼信号の処理の内容を変更可能となり、それぞれの発呼信号に応じた信号処理を実現可能となる。
【００３７】
また、緊急通報先の管轄エリアを示すエリア情報と該緊急通報先の電話番号とを関連づけて格納してあるデータベースを緊急通報管理装置が有しているので、そのデータベースを移動体無線通信装置に設ける必要がなくなる。
【００３８】
また、本発明の緊急通報管理装置は、前記緊急通報管理装置において、前記データベースは、緊急通報の種類ごとに、緊急通報先の管轄エリアを示すエリア情報と該緊急通報先の電話番号とを関連づけて格納し、前記緊急通報制御手段は、前記受信手段が受信した発呼信号が緊急通報に位置情報が付加された発呼信号である場合、前記データベースに格納されているエリア情報のうちの該発呼信号が有する緊急通報の種類に応じたエリア情報の中から該発呼信号が有する位置情報が含まれるエリア情報を検索し、検索したエリア情報に関連づけられている緊急通報先の電話番号を前記データベースから求め、求めた緊急通報先の電話番号での発信を行うことを特徴とする。
【００３９】
上記の発明によれば、上記と同様の効果を複数種類の緊急通報に対して適用可能となる。
【００４０】
また、本発明の緊急通報管理装置は、一般公衆網に含まれる複数の加入者交換機の場所を示す加入者交換機場所情報と該加入者交換機場所情報で示された加入者交換機に割り当てられたエリアを示すエリア情報とを、該加入者交換機ごとに関連づけて格納してあるデータベースと、緊急通報に現在位置を示す位置情報を付加した発呼信号を発信する移動体無線通信装置から発信された発呼信号を受信する受信手段と、前記受信手段が受信した発呼信号が緊急通報に位置情報が付加された発呼信号であるか否か判定し、前記受信手段が受信した発呼信号が緊急通報に位置情報が付加された発呼信号であると判定した場合、前記データベースに格納されているエリア情報の中から該発呼信号が有する位置情報が含まれるエリア情報を検索し、検索したエリア情報に関連づけられている加入者交換機場所情報で示された場所に存在する加入者交換機を前記データベースから求め、求めた加入者交換機に接続して前記緊急通報を発呼する緊急通報制御手段とを含むことを特徴とする。
【００４１】
上記の発明によれば、移動体無線通信装置自身の位置情報に基づいて求まる加入者交換機に接続して緊急通報を発呼するので、移動体無線通信装置が接続された携帯電話網内の無線基地局の位置に関係なく、移動体無線通信装置自身の位置情報の精度を上げることにより、移動体無線通信装置の現在位置を管轄する緊急電話接続先に接続することが可能となる。
【００４２】
また、受信した発呼信号が緊急通報に位置情報が付加された発呼信号であるか否か判定するので、緊急通報に位置情報が付加された発呼信号とそれ以外の発呼信号とを判別可能となる。したがって、例えば、緊急通報に位置情報が付加された発呼信号とそれ以外の発呼信号とで発呼信号の処理の内容を変更可能となり、それぞれの発呼信号に応じた信号処理を実現可能となる。
【００４３】
また、移動体無線通信装置自身の位置情報に基づいて求まる加入者交換機に接続して緊急通報を発呼するので、加入者交換機は、固定電話機を用いて緊急通報された場合と同様の発呼を受け付けることになり、公衆網の緊急電話用回線設備を使用することが可能となる。
【００４４】
また、本発明の移動体無線通信装置は、現在位置を示す位置情報を取得する位置情報取得手段と、利用者により入力された電話番号が緊急通報であるか否かを判定する電話番号判定手段と、利用者により入力された電話番号が緊急通報であると前記電話番号判定手段が判定した際に、前記緊急通報としての電話番号に前記位置情報取得手段が取得した位置情報を付加した発呼信号を発信する発呼制御手段とを含むことを特徴とする。
【００４５】
上記の発明によれば、上記緊急通報管理装置に発呼信号を発信した場合、移動体無線通信装置の現在位置を管轄する緊急電話接続先に移動体無線通信装置を接続することが可能となる。さらに、緊急通報先の管轄エリアを示すエリア情報と該緊急通報先の電話番号とを関連づけて格納してあるデータベースを移動体無線通信装置が有する必要がなくなる。よって、移動体無線通信装置のメモリ容量が増大することを防止可能となる。
【００４６】
また、利用者により入力された電話番号が緊急通報であると判定した際に、緊急通報としての電話番号に位置情報を付加した発呼信号を発信するので、必要なときのみ位置情報を発信することが可能となる。したがって、例えば、発呼信号に常に位置情報を付加する場合に比べて、発呼信号の簡略化が図れる。
【００４７】
また、本発明の移動体無線通信装置の緊急通報発信方法は、現在位置を示す位置情報を取得する第１のステップと、利用者により入力された電話番号が緊急通報であるか否かを判定する第２のステップと、前記第２のステップにおいて利用者により入力された電話番号が緊急通報であると判定された際に、前記緊急通報としての電話番号に前記第１のステップで取得された位置情報を付加した発呼信号を発信する第３のステップとを含むことを特徴とする。
【００４８】
上記の発明によれば、上記緊急通報管理装置に発呼信号を発信した場合、移動体無線通信装置の現在位置を管轄する緊急電話接続先に移動体無線通信装置を接続することが可能となる。さらに、緊急通報先の管轄エリアを示すエリア情報と該緊急通報先の電話番号とを関連づけて格納してあるデータベースを移動体無線通信装置が有する必要がなくなる。よって、移動体無線通信装置のメモリ容量が増大することを防止可能となる。
【００４９】
また、利用者により入力された電話番号が緊急通報であると判定した際に、緊急通報としての電話番号に位置情報を付加した発呼信号を発信するので、必要なときのみ位置情報を発信することが可能となる。したがって、例えば、発呼信号に常に位置情報を付加する場合に比べて、発呼信号の簡略化が図れる。
【００５０】
また、本発明の緊急通報システムは、前記緊急通報管理装置と、緊急通報に現在位置を示す位置情報を付加した発呼信号を発信する移動体無線通信装置とを含むことを特徴とする。
【００５１】
上記の発明によれば、移動体無線通信装置自身の位置情報に基づいて求まる緊急通報先の電話番号で発信を行うので、移動体無線通信装置が接続された携帯電話網内の無線基地局の位置に関係なく、移動体無線通信装置自身の位置情報の精度を上げることにより、移動体無線通信装置の現在位置を管轄する緊急電話接続先に接続することが可能となる。
【００５２】
また、受信した発呼信号が緊急通報に位置情報が付加された発呼信号であるか否か判定するので、緊急通報に位置情報が付加された発呼信号とそれ以外の発呼信号とを判別可能となる。したがって、例えば、緊急通報に位置情報が付加された発呼信号とそれ以外の発呼信号とで発呼信号の処理の内容を変更可能となり、それぞれの発呼信号に応じた信号処理を実現可能となる。
【００５３】
また、緊急通報先の管轄エリアを示すエリア情報と該緊急通報先の電話番号とを関連づけて格納してあるデータベースを緊急通報管理装置が有しているので、そのデータベースを移動体無線通信装置に設ける必要がなくなる。
【００５４】
また、本発明の緊急通報システムは、前記緊急通報システムと、前記移動体無線通信装置からなる。
【００５５】
上記の発明によれば、上記と同様の効果を奏するとともに、利用者により入力された電話番号が緊急通報であると判定した際に、緊急通報としての電話番号に位置情報を付加した発呼信号を発信するので、必要なときのみ位置情報を発信することが可能となる。したがって、例えば、発呼信号に常に位置情報を付加する場合に比べて、発呼信号の簡略化が図れる。
【００５６】
また、本発明の緊急通報方法は、緊急通報に現在位置を示す位置情報を付加した発呼信号を発信する移動体無線通信装置から発信された発呼信号を受信する第１のステップと、前記第１のステップで受信した発呼信号が緊急通報に位置情報が付加された発呼信号であるか否か判定する第２のステップと、前記第２のステップで、前記第１のステップで受信した発呼信号が緊急通報に位置情報が付加された発呼信号であると判定した場合、緊急通報先の管轄エリアを示すエリア情報と該緊急通報先の電話番号とを関連づけて格納してあるデータベースに格納されているエリア情報の中から該発呼信号が有する位置情報が含まれるエリア情報を検索し、検索したエリア情報に関連づけられている緊急通報先の電話番号を前記データベースから求める第３のステップと、前記第３のステップで求めた緊急通報先の電話番号での発信を行う第４のステップとを含むことを特徴とする。
【００５７】
上記の発明によれば、移動体無線通信装置自身の位置情報に基づいて求まる緊急通報先の電話番号で発信を行うので、移動体無線通信装置が接続された携帯電話網内の無線基地局の位置に関係なく、移動体無線通信装置自身の位置情報の精度を上げることにより、移動体無線通信装置の現在位置を管轄する緊急電話接続先に接続することが可能となる。
【００５８】
また、受信した発呼信号が緊急通報に位置情報が付加された発呼信号であるか否か判定するので、緊急通報に位置情報が付加された発呼信号とそれ以外の発呼信号とを判別可能となる。したがって、例えば、緊急通報に位置情報が付加された発呼信号とそれ以外の発呼信号とで発呼信号の処理の内容を変更可能となり、それぞれの発呼信号に応じた信号処理を実現可能となる。
【００５９】
また、緊急通報先の管轄エリアを示すエリア情報と該緊急通報先の電話番号とを関連づけて格納してあるデータベースを緊急通報管理装置が有しているので、そのデータベースを移動体無線通信装置に設ける必要がなくなる。
【００６０】
また、本発明の緊急通報方法は、前記緊急通報方法において、前記データベースは、緊急通報の種類ごとに、緊急通報先の管轄エリアを示すエリア情報と該緊急通報先の電話番号とを関連づけて格納し、前記第３のステップは、前記第１のステップで受信した発呼信号が緊急通報に位置情報が付加された発呼信号である場合、前記データベースに格納されているエリア情報のうちの該発呼信号が有する緊急通報の種類に応じたエリア情報の中から該発呼信号が有する位置情報が含まれるエリア情報を検索し、検索したエリア情報に関連づけられている緊急通報先の電話番号を前記データベースから求めることを特徴とする。
【００６１】
上記の発明によれば、上記と同様の効果を複数種類の緊急通報に対して適用可能となる。
【００６２】
また、本発明の緊急通報方法は、緊急通報に位置情報を付加した発呼信号を発信する移動体無線通信装置から発信された発呼信号を受信する第１のステップと、前記第１のステップで受信した発呼信号が緊急通報に位置情報が付加された発呼信号であるか否か判定する第２のステップと、前記第２のステップで、前記第１のステップで受信した発呼信号が緊急通報に位置情報が付加された発呼信号であると判定した場合、一般公衆網に含まれる複数の加入者交換機の場所を示す加入者交換機場所情報と該加入者交換機場所情報で示された加入者交換機に割り当てられたエリアを示すエリア情報とを該加入者交換機ごとに関連づけて格納してあるデータベースとに格納されているエリア情報の中から該発呼信号が有する位置情報が含まれるエリア情報を検索し、検索したエリア情報に関連づけられている加入者交換機場所情報で示された場所に存在する加入者交換機を前記データベースから求める第３のステップと、前記第３のステップで求めた加入者交換機に接続して前記緊急通報を発呼する第４のステップとを含むことを特徴とする。
【００６３】
上記の発明によれば、移動体無線通信装置自身の位置情報に基づいて求まる加入者交換機に接続して緊急通報を発呼するので、移動体無線通信装置が接続された携帯電話網内の無線基地局の位置に関係なく、移動体無線通信装置自身の位置情報の精度を上げることにより、移動体無線通信装置の現在位置を管轄する緊急電話接続先に接続することが可能となる。
【００６４】
また、受信した発呼信号が緊急通報に位置情報が付加された発呼信号であるか否か判定するので、緊急通報に位置情報が付加された発呼信号とそれ以外の発呼信号とを判別可能となる。したがって、例えば、緊急通報に位置情報が付加された発呼信号とそれ以外の発呼信号とで発呼信号の処理の内容を変更可能となり、それぞれの発呼信号に応じた信号処理を実現可能となる。
【００６５】
また、移動体無線通信装置自身の位置情報に基づいて求まる加入者交換機に接続して緊急通報を発呼するので、加入者交換機は、固定電話機を用いて緊急通報された場合と同様の発呼を受け付けることになり、公衆網の緊急電話用回線設備を使用することが可能となる。
【００６６】
【発明の実施の形態】
以下、本発明の実施の形態を図面に示す一実施例に基づき説明する。
【００６７】
図１は、本発明の一実施例の緊急通報システムを示したブロック図である。
【００６８】
図１において、緊急通報システムは、携帯電話機１１と、ＧＰＳ用衛星１２と、携帯電話網１３と、緊急電話接続先データベース１４と、公衆網１５と、緊急電話接続先Ａ１６および緊急電話接続先Ｂ１７とを含む。なお、緊急通報システムは、携帯電話機１１と携帯電話網１３および緊急電話接続先データベース１４を含むものでもよい。
【００６９】
移動体無線通信装置としての携帯電話機１１は、ＧＰＳ用衛星１２から出力される信号を受信し、受信した信号に基づき携帯電話機１１自身の位置情報を取得する。
【００７０】
携帯電話機１１は、緊急電話番号による緊急通報の発呼信号を発信する際に、携帯電話網１３に対して、緊急電話番号に自身の位置情報を付加した発呼信号を発信する。なお、緊急電話番号の一例を説明すると、警察に対する緊急電話番号は日本では「１１０」であり、消防に対する緊急電話番号は日本では「１１９」である。
【００７１】
図２は、携帯電話機１１を示したブロック図である。図２において、携帯電話機１１は、入力部２１と、電話番号チェック部２２と、位置情報取得部２３および通信制御部２４とを含む。
【００７２】
入力部２１は、利用者に操作されることにより所望の電話番号が入力される。
【００７３】
電話番号判定手段としての電話番号チェック部２２は、入力部２１から入力された電話番号が緊急通報としての緊急電話番号であるか否かを判定する。
【００７４】
位置情報取得手段としての位置情報取得部２３は、ＧＰＳ用衛星１２から受信した信号に基づいて自身の位置情報を取得する。
【００７５】
発呼制御手段としての通信制御部２４は、電話番号チェック部２２が入力部２１から入力された電話番号が緊急電話番号であると判断すると、入力された電話番号に位置情報取得部２３が取得した位置情報を付加した発呼信号を発信して携帯電話網１３に接続要求を行う。
【００７６】
通信制御部２４は、電話番号チェック部２２が入力部２１から入力された電話番号が緊急電話番号でないと判断すると、入力された電話番号の発呼信号を発信して携帯電話網１３に接続要求を行う。
【００７７】
図１に戻って、携帯電話網１３は、無線基地局１３ａと携帯電話用交換機１３ｂとを含む。
【００７８】
受信手段としての無線基地局１３ａは、携帯電話機１１と無線通信を行う。また、無線基地局１３ａは、携帯電話機１１からの発呼信号を受信し、受信した発呼信号を携帯電話用交換機１３ｂに出力する。
【００７９】
緊急通報制御手段としての携帯電話用交換機１３ｂは、無線基地局１３ａと緊急電話接続先データベース１４および公衆網１５等と接続可能であり、これらの間で種々の情報の送受信が可能である。
【００８０】
携帯電話用交換機１３ｂは、無線基地局１３ａから入力する携帯電話機１１からの発呼信号が緊急電話番号に位置情報が付加された発呼信号であった場合、その発呼信号から位置情報を抽出し、緊急電話接続先データベース１４を用いて、抽出した位置情報に応じた緊急電話接続先の公衆電話番号を検索する。
【００８１】
携帯電話用交換機１３ｂは、位置情報が付加された緊急電話番号の発呼信号を発信した携帯電話機１１をその位置情報に応じた緊急電話接続先に接続するために、検索した公衆電話番号での発信を行う。
【００８２】
携帯電話用交換機１３ｂは、無線基地局１３ａから入力する携帯電話機１１からの発呼信号が緊急電話番号に位置情報が付加された発呼信号でなかった場合、携帯電話機１１の入力部２１から入力された電話番号のままで接続要求を行う。
【００８３】
緊急電話接続先データベース１４は、エリアを示すエリア情報とそのエリア情報に対応した緊急電話接続先の公衆電話番号とを対応させたデータを、緊急通報の種類ごとに格納している。なお、緊急電話接続先データベース１４は、例えば、携帯電話用交換機１３ｂが備えるようにしてもよい。
【００８４】
なお、緊急通報管理装置は、無線基地局１３ａと携帯電話用交換機１３ｂと緊急電話接続先データベース１４とを含む。
【００８５】
図３は、緊急電話接続先データベース１４のデータ構成の一例を示した説明図である。
【００８６】
緊急電話接続先データベース１４のデータの構成は、図３に示すように、緊急電話番号の種類（警察の緊急電話番号と消防の緊急電話番号等）ごとに、エリア情報とそのエリア情報に対応した緊急電話接続先の公衆電話番号とが対応づけられてデータ化されている。
【００８７】
具体的には、日本の警察の緊急電話番号である「１１０」に対して複数のエリア情報Ａ１、Ｂ１等が設けてある。また、エリア情報Ａ１に対応した警察の緊急電話接続先の公衆電話番号としてＡＡ−ＡＡＡＡ−ＡＡＡＡが登録され、エリア情報Ｂ１に対応した警察の緊急電話接続先の公衆電話番号としてＢＢ−ＢＢＢＢ−ＢＢＢＢが登録されている。
【００８８】
日本の警察の緊急電話番号である「１１０」に関して緊急電話接続先データベース１４のデータの構成をさらに説明すると、公衆電話番号としてＡＡ−ＡＡＡＡ−ＡＡＡＡを有する警察の管轄地域がエリア情報Ａ１に対応する。また、公衆電話番号としてＢＢ−ＢＢＢＢ−ＢＢＢＢを有する警察の管轄地域がエリア情報Ｂ１に対応する。
【００８９】
また、緊急電話接続先データベース１４は、日本の消防の緊急電話番号である「１１９」に対して複数のエリア情報Ｃ１、Ｄ１等が設けてある。エリア情報Ｃ１に対応した消防の緊急電話接続先の公衆電話番号としてＣＣ−ＣＣＣＣ−ＣＣＣＣが登録され、エリア情報Ｄ１に対応した消防の緊急電話接続先の公衆電話番号としてＤＤ−ＤＤＤＤ−ＤＤＤＤが登録されている。
【００９０】
日本の消防の緊急電話番号である「１１９」に関して緊急電話接続先データベース１４のデータの構成をさらに説明すると、公衆電話番号としてＣＣ−ＣＣＣＣ−ＣＣＣＣを有する消防の管轄地域がエリア情報Ｃ１に対応する。また、公衆電話番号としてＤＤ−ＤＤＤＤ−ＤＤＤＤを有する消防の管轄地域がエリア情報Ｄ１に対応する。
【００９１】
図１に戻って、公衆網１５は、一般公衆網に含まれる１つの加入者交換機を含む。さらに、公衆網１５は、包含する１つの加入者交換機とその１つの加入者交換機が収容する端末との間の公衆網を含む。
【００９２】
緊急電話接続先Ａ１６は、公衆網１５に収容されている警察の電話機等の端末である。緊急電話接続先Ａ１６は、公衆電話番号としてＡＡ−ＡＡＡＡ−ＡＡＡＡを有しているものとする。また、緊急電話接続先Ａ１６は、ある電話機から警察の緊急電話番号の発信がなされた際に、その電話機と接続可能である。緊急電話接続先Ａ１６を備える警察は、管轄エリア１８を有する。
【００９３】
緊急電話接続先Ｂ１７は、公衆網１５と異なる公衆網に収容されている警察の電話機等の端末である。緊急電話接続先Ｂ１７は、公衆電話番号としてＢＢ−ＢＢＢＢ−ＢＢＢＢを有しているものとする。また、緊急電話接続先Ｂ１７は、ある電話機から警察の緊急電話番号の発信がなされた際に、その電話機と接続可能である。緊急電話接続先Ｂ１７を備える警察は、管轄エリア１９を有する。
【００９４】
次に、動作を説明する。
【００９５】
図４は、図１に示した緊急通報システムの動作を説明するためのフローチャートである。なお、図４に示したステップ４１からステップ４５までの動作は、携帯電話機１１側の動作である。また、図４に示したステップ４６からステップ４９までの動作は、携帯電話網１３側の動作である。
【００９６】
以下、図４を参照して動作を説明する。
【００９７】
携帯電話機１１内の位置情報取得部２３は、ＧＰＳ用衛星１２から出力される信号に基づき現在位置を示す位置情報を取得する（ステップ４１）。ステップ４１の位置情報の取得は、例えば間欠的に行われる。携帯電話機１１は、ＧＰＳ用衛星１２から出力される信号に基づき現在位置を示す位置情報を取得することにより、自らの位置を高い精度で検出することができる。
【００９８】
利用者により入力部２１から電話番号が入力されると（ステップ４２）、携帯電話機１１内の電話番号チェック部２２は、入力された電話番号が緊急電話番号なのか否かを判断する（ステップ４３）。
【００９９】
入力された電話番号が緊急電話番号なのか否かの判断の一例としては、日本の場合、入力された電話番号が、「１１０」または「１１９」であるか否か判断するようにすればよい。
【０１００】
入力された電話番号が緊急電話の電話番号でなかったと電話番号チェック部２２が判断した場合、携帯電話機１１内の通信制御部２４は、携帯電話網１３に対して、入力部２１から入力された電話番号のままで発呼信号を発信する接続要求を行う（ステップ４４）。
【０１０１】
入力された電話番号が緊急電話番号であったと電話番号チェック部２２が判断した場合、携帯電話機１１内の通信制御部２４は、携帯電話網１３に対して、先に位置情報取得部２３にて取得してある位置情報を入力部２１から入力された電話番号に付加した発呼信号を発信して接続要求を行う（ステップ４５）。
【０１０２】
携帯電話網１３では、携帯電話機１１から受信した発呼信号の中身を確認する。具体的な確認動作は、以下の通りとなる。
【０１０３】
携帯電話網１３の基地局１３ａは、携帯電話機１１からの発呼信号を受信すると、受信した発呼信号を携帯電話用交換機１３ｂに出力する。
【０１０４】
携帯電話用交換機１３ｂは、携帯電話機１１からの発呼信号が緊急電話番号に位置情報が付加された発呼信号であるか否か判断する（ステップ４６）。
【０１０５】
携帯電話機１１から発信された発呼信号が緊急電話番号に位置情報が付加された発呼信号でなかった場合、携帯電話用交換機１３ｂは、発呼信号に含まれる電話番号のままで接続要求を行う（ステップ４７）。
【０１０６】
携帯電話機１１から発信された発呼信号が緊急電話番号に位置情報が付加された発呼信号であった場合、携帯電話用交換機１３ｂは、緊急電話接続先データベース１４を用いて、発呼信号に含まれる位置情報と発呼信号に含まれる緊急電話番号とに基づき緊急電話接続先の公衆電話番号検索を行い（ステップ４８）、検索された公衆電話番号での発信を行う接続処理を実行する（ステップ４９）。
【０１０７】
ステップ４８の動作について説明すると、携帯電話用交換機１３ｂは、緊急電話接続先データベース１４に格納されているエリア情報のうちの発呼信号が有する緊急通報の種類に応じたエリア情報の中から該発呼信号が有する位置情報が含まれるエリア情報を検索し、検索したエリア情報に関連づけられている緊急通報先の公衆電話番号を緊急電話接続先データベース１４から求める。
【０１０８】
具体的に説明すると、例えば、携帯電話機１１から発信された発呼信号が、警察の緊急電話番号である「１１０」にエリア情報Ａ１に含まれる位置情報が付加された発呼信号であると、携帯電話用交換機１３ｂは、図３に示した緊急電話接続先データベース１４から、受信した発呼信号が有する緊急通報の種類としての「１１０」と受信した発呼信号が有する位置情報とを充足する緊急通報先の公衆電話番号としてＡＡ−ＡＡＡＡ−ＡＡＡＡを求める。
【０１０９】
携帯電話用交換機１３ｂは、求めた緊急通報先の公衆電話番号としてのＡＡ−ＡＡＡＡ−ＡＡＡＡでの発信を行う接続処理を実行する。
【０１１０】
本実施例は、移動体無線通信装置自身の位置情報に基づいて求まる緊急通報先の公衆電話番号で発信を行うので、移動体無線通信装置が接続された携帯電話網内の無線基地局の位置に関係なく、移動体無線通信装置自身の位置情報の精度を上げることにより、移動体無線通信装置の現在位置を管轄する緊急電話接続先に接続することが可能となる。
【０１１１】
また、受信した発呼信号が緊急通報に位置情報が付加された発呼信号であるか否か判定するので、緊急通報に位置情報が付加された発呼信号とそれ以外の発呼信号とを判別可能となる。したがって、例えば、緊急通報に位置情報が付加された発呼信号とそれ以外の発呼信号とで発呼信号の処理の内容を変更可能となり、それぞれの発呼信号に応じた信号処理を実現可能となる。
【０１１２】
また、緊急通報先の管轄エリアを示すエリア情報と該緊急通報先の電話番号とを関連づけて格納してあるデータベースを緊急通報管理装置が有しているので、そのデータベースを移動体無線通信装置に設ける必要がなくなる。よって、移動体無線通信装置のメモリ容量が増大することを防止可能となる。
【０１１３】
また、本実施例の移動体無線通信装置は、利用者により入力された電話番号が緊急通報であると判定した際に、緊急通報としての電話番号に位置情報を付加した発呼信号を発信するので、必要なときのみ位置情報を発信することが可能となる。したがって、例えば、発呼信号に常に位置情報を付加する場合に比べて、発呼信号の簡略化が図れる。
【０１１４】
図５は、本発明の他の実施例の緊急通報システムを示したブロック図である。なお、図５において、図１と同一構成のものには同一符号を附してある。
【０１１５】
図５において、緊急通報システムは、携帯電話機１１と、ＧＰＳ用衛星１２と、携帯電話網５３と、緊急電話接続先データベース５４と、公衆網５５と、公衆網５６と、緊急電話接続先Ａ１６および緊急電話接続先Ｂ１７とを含む。なお、緊急通報システムは、携帯電話機１１と携帯電話網５３および緊急電話接続先データベース５４を含むものでもよい。
【０１１６】
携帯電話網５３は、無線基地局５３ａと携帯電話用交換機５３ｂとを含む。
【０１１７】
受信手段としての無線基地局５３ａは、携帯電話機１１と無線通信を行う。また、無線基地局５３ａは、携帯電話機１１からの発呼信号を受信し、受信した発呼信号を携帯電話用交換機５３ｂに出力する。
【０１１８】
緊急通報制御手段としての携帯電話用交換機５３ｂは、無線基地局５３ａと緊急電話接続先データベース５４と公衆網５５および公衆網５６等と接続可能であり、これらとの間で種々の情報の送受信が可能である。
【０１１９】
携帯電話用交換機５３ｂは、無線基地局５３ａから入力する携帯電話機１１からの発呼信号が緊急電話番号に位置情報が付加された発呼信号であった場合、その発呼信号から位置情報を抽出し、緊急電話接続先データベース５４を用いて、抽出した位置情報に応じた公衆網、具体的には抽出した位置情報に応じた加入者交換機を検索し、検索した加入者交換機に接続して、携帯電話機１１の接続要求である緊急電話番号を発呼する。
【０１２０】
携帯電話用交換機５３ｂは、無線基地局１３ａから入力する携帯電話機１１からの発呼信号が緊急電話番号に位置情報が付加された発呼信号でなかった場合、携帯電話機１１の入力部２１から入力された電話番号のままで接続要求を行う。
【０１２１】
緊急電話接続先データベース５４は、エリアを示すエリア情報とそのエリア情報に応じた公衆網接続場所を対応させたデータを格納している。エリア情報に応じた公衆網接続場所の一例としては、エリア情報に割り当てられている加入者交換機の場所がある。なお、緊急電話接続先データベース５４は、例えば、携帯電話用交換機５３ｂが備えるようにしてもよい。
【０１２２】
図６は、緊急電話接続先データベース５４のデータ構成の一例を示した説明図である。
【０１２３】
図６に示すように、緊急電話接続先データベース５４のデータの構成は、エリア情報と、そのエリア情報により示されるエリアに割り当てられた加入者交換機の場所を示す加入者交換機場所情報が対応づけられてデータ化されている。なお、図６では、エリア情報により示されるエリアに割り当てられた加入者交換機の接続場所を、エリア情報により示されるエリアに最寄りの公衆網接続場所と示している。
【０１２４】
具体的には、〇〇県〇〇市の加入者交換機としての〇〇県〇〇市の公衆網に割り当てられたエリアがエリア情報Ａ１１に対応する。また、〇〇県△△市の加入者交換機としての〇〇県△△市の公衆網に割り当てられたエリアがエリア情報Ｂ１１に対応する。また、××県××町の加入者交換機としての××県××町の公衆網に割り当てられたエリアがエリア情報Ｃ１１に対応する。
【０１２５】
公衆網５５は、一般公衆網に含まれる加入者交換機を含む。なお、本実施例では、公衆網５５は〇〇県〇〇市の加入者交換機を含むこととする。さらに、公衆網５５は、〇〇県〇〇市の加入者交換機と〇〇県〇〇市の加入者交換機が収容する端末との間の公衆網を含む。公衆網５５が有する〇〇県〇〇市の加入者交換機は、警察の電話機等の端末である緊急電話接続先Ａ１６を収容する。
【０１２６】
公衆網５６は、一般公衆網に含まれる加入者交換機を含む。なお、本実施例では、公衆網５６は〇〇県△△市の加入者交換機を含むこととする。さらに、公衆網５６は、〇〇県△△市の加入者交換機と〇〇県△△市の加入者交換機が収容する端末との間の公衆網を含む。公衆網５６が有する〇〇県△△市の加入者交換機は、警察の電話機等の端末である緊急電話接続先Ｂ１７を収容する。
【０１２７】
次に、図５に示した緊急通報システムの動作を説明する。
【０１２８】
携帯電話機１１内の位置情報取得部２３は、ＧＰＳ用衛星１２から出力される信号に基づき位置情報を取得する。この位置情報の取得は、例えば間欠的に行われる。携帯電話機１１は、ＧＰＳ用衛星１２から出力される信号に基づき現在位置を示す位置情報を取得することにより、自らの位置を高い精度で検出することができる。
【０１２９】
利用者により入力部２１から電話番号が入力されると、携帯電話機１１内の電話番号チェック部２２は、入力された電話番号が緊急電話の電話番号なのか否かを判断する。
【０１３０】
入力された電話番号が緊急電話の電話番号なのか否かの判断の一例としては、日本の場合、入力された電話番号が、「１１０」または「１１９」であるか否か判断するようにすればよい。
【０１３１】
入力された電話番号が緊急電話の電話番号でなかったと電話番号チェック部２２が判断した場合、携帯電話機１１内の通信制御部２４は、携帯電話網５３に対して、入力部２１から入力された電話番号のままで発呼信号を発信する接続要求を行う。
【０１３２】
入力された電話番号が緊急電話番号であったと電話番号チェック部２２が判断した場合、携帯電話機１１内の通信制御部２４は、携帯電話網５３に対して、先に位置情報取得部２３にて取得してある位置情報を入力部２１から入力された電話番号に付加した発呼信号を発信して接続要求を行う接続要求を行う。
【０１３３】
携帯電話網５３では、携帯電話機１１から受信した発呼信号の中身を確認する。具体的な確認動作は、以下の通りとなる。
【０１３４】
携帯電話網５３の基地局５３ａは、携帯電話機１１からの発呼信号を受信すると、受信した発呼信号を携帯電話用交換機５３ｂに出力する。
【０１３５】
携帯電話用交換機５３ｂは、携帯電話機１１からの発呼信号が緊急電話番号に位置情報が付加された発呼信号であるか否か判断する。
【０１３６】
携帯電話機１１から発信された発呼信号が緊急電話番号に位置情報が付加された発呼信号でなかった場合、携帯電話用交換機５３ｂは、携帯電話機１１の入力部２１から入力された電話番号のままで接続要求を行う。
【０１３７】
携帯電話機１１から発信された発呼信号が緊急電話番号に位置情報が付加された発呼信号であった場合、携帯電話用交換機５３ｂは、緊急電話接続先データベース５４を用いて、発呼信号に含まれる位置情報が含まれるエリア情報を検索し、検索したエリア情報に関連づけられている加入者交換機場所情報で示された場所に存在する加入者交換機を緊急電話接続先データベース５４から求め、求めた加入者交換機に接続して緊急通報を発呼する。
【０１３８】
緊急通報の呼は、求めた加入者交換機が収容している緊急電話接続先に接続される。
【０１３９】
例えば、位置情報としてＡ１１に含まれる位置情報が付加されている緊急電話番号が携帯電話機１１から発信された場合、携帯電話用交換機５３ｂは、携帯電話機１１の位置情報に基づき緊急電話接続先データベース５４で検索した○○県○○市の公衆網５５に接続し、ここで緊急電話の電話番号を発呼することにより、携帯電話機１１の現在位置を管轄する緊急電話接続先Ａ１６に接続することができる。
【０１４０】
本実施例は、移動体無線通信装置自身の位置情報に基づいて求まる加入者交換機に接続して緊急通報を発呼するので、移動体無線通信装置が接続された携帯電話網内の無線基地局の位置に関係なく、移動体無線通信装置自身の位置情報の精度を上げることにより、移動体無線通信装置の現在位置を管轄する緊急電話接続先に接続することが可能となる。
【０１４１】
また、受信した発呼信号が緊急通報に位置情報が付加された発呼信号であるか否か判定するので、緊急通報に位置情報が付加された発呼信号とそれ以外の発呼信号とを判別可能となる。したがって、例えば、緊急通報に位置情報が付加された発呼信号とそれ以外の発呼信号とで発呼信号の処理の内容を変更可能となり、それぞれの発呼信号に応じた信号処理を実現可能となる。
【０１４２】
また、移動体無線通信装置自身の位置情報に基づいて求まる加入者交換機に接続して緊急通報を発呼するので、加入者交換機は、固定電話機を用いて緊急通報された場合と同様の発呼を受け付けることになり、公衆網の緊急電話用回線設備を使用することが可能となる。
【０１４３】
以上説明した実施例において、図示した構成は単なる一例であって、本発明はその構成に限定されるものではない。
【０１４４】
例えば、緊急通報管理装置を使用する移動体無線通信装置として、すべての発呼信号に現在位置を示す位置情報を付加して発信する移動体無線通信装置を用いてもよい。
【０１４５】
【発明の効果】
以上説明したように、本発明によれば、移動体無線通信装置自身の位置情報に基づいて求まる緊急通報先の電話番号で発信を行うので、移動体無線通信装置が接続された携帯電話網内の無線基地局の位置に関係なく、移動体無線通信装置自身の位置情報の精度を上げることにより、移動体無線通信装置の現在位置を管轄する緊急電話接続先に接続することが可能となる。
【０１４６】
また、受信した発呼信号が緊急通報に位置情報が付加された発呼信号であるか否か判定するので、緊急通報に位置情報が付加された発呼信号とそれ以外の発呼信号とを判別可能となる。したがって、例えば、緊急通報に位置情報が付加された発呼信号とそれ以外の発呼信号とで発呼信号の処理の内容を変更可能となり、それぞれの発呼信号に応じた信号処理を実現可能となる。
【０１４７】
また、緊急通報先の管轄エリアを示すエリア情報と該緊急通報先の電話番号とを関連づけて格納してあるデータベースを緊急通報管理装置が有しているので、そのデータベースを移動体無線通信装置に設ける必要がなくなり、移動体無線通信装置のメモリ容量が増大することを防止可能となる。
【図面の簡単な説明】
【図１】本発明の一実施例の緊急通報システムを示したブロック図である。
【図２】本実施例の携帯電話機１１を示したブロック図である。
【図３】本実施例の緊急電話接続先データベース１４のデータ構成の一例を示した説明図である。
【図４】本実施例の緊急通報システムの動作を説明するためのフローチャートである。
【図５】本発明の他の実施例の緊急通報システムを示したブロック図である。
【図６】本発明の他の実施例の緊急電話接続先データベース１４のデータ構成の一例を示した説明図である。
【図７】従来の緊急通報システムを示したブロック図である。
【符号の説明】
１１      携帯電話機
１２      ＧＰＳ用衛星
１３      携帯電話網
１３ａ    無線基地局
１３ｂ    携帯電話用交換機
１４      緊急電話接続先データベース
１５      公衆網
１６      緊急電話接続先Ａ
１７      緊急電話接続先Ｂ
２１      入力部
２２      電話番号チェック部
２３      位置情報取得部
２４      通信制御部
５３      携帯電話網
５３ａ    無線基地局
５３ｂ    携帯電話用交換機
５４      携帯電話接続先データベース
５５      公衆網
５６      公衆網
【図１】
2004265191.tif 000003
【図２】
2004265191.tif 000004
【図３】
2004265191.tif 000005
【図４】
2004265191.tif 000006
【図５】
2004265191.tif 000007
【図６】
2004265191.tif 000008
【図７】
2004265191.tif 000009